【手続補正書】
【提出日】平成30年6月11日(2018.6.11)
【手続補正１】
【補正対象書類名】特許請求の範囲
【補正対象項目名】全文
【補正方法】変更
【補正の内容】
【特許請求の範囲】
【請求項１】
スクータ位置と手押し車位置との間で調節に適応した複合装置（１０）であって、
操舵アセンブリ（１８）と少なくとも１つの前輪（２２）とを設けた前部（１２）と、少なくとも２つの後輪（６４）を設けた後部（４５）と、を備え、前記前部（１２）が、回転軸を有する１つの旋回継手（７２）または共通回転軸（Ａ）を有する複数の旋回継手（７２）において前記後部（４５）に回転自在に接続されて、スクータ位置から手押し車位置への調節時、前記後輪（６４）と前記少なくとも１つの前輪（２２）が相互に近づき接触するように回転することで、前記後輪が前記手押し車位置において床面と接触し、前記複合装置（１０）が前記手押し車位置において前記後輪上で旋回し、回転軸または共通回転軸（Ａ）は複合装置をスクータ位置と手押し車位置との間で移動させるときに唯一の回転中心である複合装置。
【請求項２】
前記後部（４５）および前記１つの旋回継手（７２）のうちの少なくともいずれか一方、または前記複数の旋回継手（７２）に接続されるプレート手段（６６）をさらに備え、ユーザは、前記スクータ位置において前記プレート手段（６６）上に立つことができ、前記複合装置（１０）が鉛直手押し車位置において直立しているときに、前記プレート手段（６６）の全部または前記プレート手段（６６）の一部が前記複合装置（１０）のための支持手段として機能する請求項１に記載の複合装置。
【請求項３】
前記プレート手段（６６）が、前記スクータ位置においてユーザが立つ脚部（６８）と、前記脚部（６８）から上方に突出する支持部（６９）とを備え、前記複合装置（１０）が前記鉛直手押し車位置において直立しているときに、前記支持部（６９）が前記複合装置（１０）のための支持手段として機能する請求項２に記載の複合装置。
【請求項４】
前記プレート手段（６６）が、前記１つの旋回継手（７２）または前記複数の旋回継手（７２）に旋回自在に接続される支持部（２００）を備え、前記支持部（２００）が鉛直手押し車位置において支持手段として機能し、少なくとも１つの別体の脚部（２０２）が前記後部（４５）に固定される請求項２に記載の複合装置。
【請求項５】
前記プレート手段（６６）が、前記１つの旋回継手（７２）または前記複数の旋回継手（７２）に旋回自在に接続される支持部（６８、２００）を備え、前記支持部（６８、２００）が鉛直手押し車位置において支持手段として機能する請求項２に記載の複合装置。
【請求項６】
前記プレート手段（６６）全体が、前記支持部（６８）で構成され、ユーザが前記スクータ位置において前記支持部（６８）上に立つことができるようになっている請求項５に記載の複合装置。
【請求項７】
前記プレート手段（６６）が、前記支持部（２００）と、前記後部（４５）に固定される別体の脚部（２０２）とを備え、前記支持部（２００）が、前記スクータ位置において前記脚部（２０２）の凹部に位置する請求項５に記載の複合装置。
【請求項８】
一端で前記支持部（６８）に接続され、他端で前記１つの旋回継手（７２）または前記複数の旋回継手（７２）のうちの１つに接続される、少なくとも１つの細長固定手段（７６）をさらに備える請求項５〜７のいずれかに記載の複合装置。
【請求項９】
前記固定手段（７６）または前記支持部（６８）が停止面で構成され、前記停止面はスクータ位置から手押し車位置への回転が完了して前記支持部（６８）の回転が停止することで、前記支持部（６８）が前記鉛直手押し車位置において支持手段として機能するまで、前記前部（１２）の対応する停止面に当接する請求項５〜８のいずれかに記載の複合装置。
【請求項１０】
前記少なくとも１つの固定手段（７６）が固定部材停止面（８４）で構成され、前記複合装置（１０）が前記手押し車位置にあるときに、前記固定部材停止面（８４）が固定部材停止素子（８５）に当接して、前記踏み板の回転を制限し、前記固定部材停止素子（８５）が前記複合装置の前記前部（１２）に配置されるようになっている請求項５〜９のいずれかに記載の複合装置。
【請求項１１】
前記操舵アセンブリ（１８）が操舵柱（１９）を備え、前記操舵柱（１９）は、前記スクータ位置において基底面に対して上方に配向され、前記操舵柱の下端で前記少なくとも１つの前輪（２２）に接続される請求項１〜１０のいずれかに記載の複合装置。
【請求項１２】
前記前部（１２）が、前記前部（１２）に固定的に接続される操舵ガイド（１４）を備え、操舵ガイド（１４）において、前記操舵柱（１９）が、前記操舵ガイド（１４）を通って前記操舵柱（１９）の縦軸を中心に回転自在に配置される請求項１０に記載の複合装置。
【請求項１３】
前記旋回継手（７２）が、前記前部（１２）に固定的に接続される２つの内側素子（９８）と、各々の前記内側素子の対向側に配置され、前記後部（４５）に固定される２つの外側素子（９９）と、を備え、前記内側素子（９８）および／または前記外側素子（９９）が前記回転軸（Ａ）を中心に回転自在である請求項１〜１２のいずれかに記載の複合装置。
【請求項１４】
前記内側素子（９８）および／または  前記外側素子（９９）が、同一の回転軸を有する１つのシャフト（１００）または複数のシャフトに回転自在に配置される請求項１３に記載の複合装置。
【請求項１５】
前記内側素子（９８）が突起（１０１）を備え、前記外側素子（９９）が対応する窪み（１０２）を備え、前記複合装置（１０）が前記スクータ位置と前記手押し車位置との間で調節されるとき、前記突起（１０１）がそれぞれ前記窪み（１０２）内へ突出し、かつ前記窪み（１０２）に沿って移動し、前記窪み（１０２）の長が、前記スクータ位置と前記手押し車位置において前記突起（１０１）が前記窪み（１０２）の各々の端部に接するように設定される請求項１３または１４に記載の複合装置。
【請求項１６】
前記旋回継手（７２）に係止機構（９６）が設けられ、前記係止機構（９６）は、前記スクータ位置と前記手押し車位置のそれぞれにおいて前記前部（１２）および前記後部（４５）の相対的回転を係止する請求項１〜１５のいずれかに記載の複合装置。
【請求項１７】
前記内側素子（９８）に凹部（１０４）が設けられ、前記外側素子（９９）に第１の凹部（１０６）と第２の凹部（１０７）とがそれぞれ設けられ、前記複合装置（１０）が前記スクータ位置にあるときに、前記内側素子の前記凹部（１０４）と前記外側素子の前記第１の凹部（１０６）が位置合わせされ、前記複合装置（１０）が前記手押し車位置にあるときに、前記内側素子の前記凹部（１０４）と前記外側素子の前記第２の凹部（１０７）とが相互に位置合わせされ、前記旋回継手（７２）が係止素子突起（１０９）を有する可動係止素子（１０８）を備え、前記係止素子突起（１０９）は、前記凹部（１０４、１０６、１０７）に適合する形状を有し、前記前部（１２）および前記後部（４５）の相対的移動を係止するように前記スクータ位置と前記手押し車位置のそれぞれにおいて前記位置合わせされた凹部に挿入可能である請求項１３〜１６のいずれかに記載の複合装置。
【請求項１８】
前記複合装置の前記前部（１２）に、前記スクータ位置における前記複合装置（１０）の縦方向から見て、前記複合装置の前記ハンドル（１８）の背後に収納部（４１）が設けられる請求項１〜１７のいずれかに記載の複合装置。
【請求項１９】
前記収納部（４１）が、前記収納部（４１）に収納し、引き上げられ、前記操舵アセンブリ（１８）に固定することができるようになっている収納バッグ（４３）を備える請求項１８に記載の複合装置。